(57)【要約】      （修正有）【課題】より多くの情報をユーザーに提供するサービス提供装置、プログラム及び方法を提供する。【解決手段】入力があるまで待機時用コンテンツを再生する待機時コンテンツ再生制御手段と、入力があった時にサービス選択画面を表示するサービス選択画面表示手段と、サービス選択画面の一部にサービス時用コンテンツを再生しするサービス時コンテンツ再生制御手段を備える。【選択図】図１０
2018139140.tif 000002
【特許請求の範囲】
【請求項１】
待機画面を表示手段の表示面に表示する待機画面表示手段、
前記待機画面の表示中に待機時用コンテンツを再生し、入力手段から入力があったとき前記待機時用コンテンツの再生を停止する待機時コンテンツ再生制御手段、
前記待機画面の表示中に前記入力手段から入力があったとき、所定のサービスに係る複数の選択項目から１の選択項目を選択するための所定のサービス選択画面を前記表示手段の表示面に表示するサービス選択画面表示手段、および
前記サービス選択画面の一部分において所定のサービス時用コンテンツを再生し、当該サービス選択画面において複数の選択項目から１の選択項目が選択されたときに、当該選択された選択項目が選択されるまで再生されていた前記サービス時用コンテンツとは異なるサービス時用コンテンツを再生するサービス時コンテンツ再生制御手段を備える、サービス提供装置。
【請求項２】
前記サービス時コンテンツ再生制御手段は、前記サービス選択画面の一部分において、当該サービス提供装置自身が設置されている場所に応じたサービス時用コンテンツを再生する、請求項１記載のサービス提供装置。
【請求項３】
前記サービス選択画面表示手段は、前記サービス選択画面において複数の選択項目から１の選択項目が選択されたときに、当該選択された選択項目に対応する他のサービス選択画面を表示し、そして
前記サービス時コンテンツ再生制御手段は、前記他のサービス選択画面の一部分において、当該選択された選択項目に対応するサービス時用コンテンツを再生する、請求項１記載のサービス提供装置。
【請求項４】
データをプリントするプリント手段をさらに備え、
前記サービス時コンテンツ再生制御手段は、プリントしようとするデータを媒介するメディアの種類に応じたサービス時用コンテンツを再生する、請求項１記載のサービス提供装置。
【請求項５】
前記メディアに記憶されたデータのデータ量を検出するデータ量検出手段をさらに備え、
前記サービス時コンテンツ再生制御手段は、前記データ量検出手段の検出結果に応じたサービス時用コンテンツを再生する、請求項４記載のサービス提供装置。
【請求項６】
前記待機時用コンテンツおよび前記サービス時用コンテンツを記憶する記憶手段、
ネットワーク上のサーバから新たなコンテンツを取得するコンテンツ取得手段、および
前記記憶手段に記憶された前記サービス時用コンテンツおよび前記待機時用コンテンツの少なくとも一方を前記コンテンツ取得手段によって取得された新たなコンテンツに更新するコンテンツ更新手段をさらに備える、請求項１記載のサービス提供装置。
【請求項７】
前記サービス時用コンテンツは、テロップ表示される、請求項１ないし６のいずれか１項に記載のサービス提供装置。
【請求項８】
前記サービス時コンテンツ再生制御手段は、前記複数の選択項目を前記サービス選択画面の中央部に表示し、前記サービス時用コンテンツを前記サービス選択画面の端部に表示する、請求項１ないし７のいずれか１項に記載のサービス提供装置。
【請求項９】
コンピュータを、
待機画面を表示手段の表示面に表示する待機画面表示手段、
前記待機画面の表示中に待機時用コンテンツを再生し、入力手段から入力があったとき前記待機時用コンテンツの再生を停止する待機時コンテンツ再生制御手段、
前記待機画面の表示中に前記入力手段から入力があったとき、所定のサービスに係る複数の選択項目から１の選択項目を選択するための所定のサービス選択画面を表示手段の表示面に表示するサービス選択画面表示手段、および
前記サービス選択画面の一部分において所定のサービス時用コンテンツを再生し、当該サービス選択画面において複数の選択項目から１の選択項目が選択されたときに、当該選択された選択項目が選択されるまで再生されていた前記サービス時用コンテンツとは異なるサービス時用コンテンツを再生するサービス時コンテンツ再生制御手段として機能させる、サービス制御プログラム。
【請求項１０】
コンピュータによるサービス制御方法であって、
（ａ）待機画面を表示手段の表示面に表示し、
（ｂ）前記待機画面の表示中に待機時用コンテンツを再生し、入力手段から入力があったとき当該第１コンテンツの再生を停止し、
（ｃ）前記待機画面の表示中に前記入力手段から入力があったとき、所定のサービスに係る複数の選択項目から１の選択項目を選択するための所定のサービス選択画面を表示手段の表示面に表示し、そして
（ｄ）前記サービス選択画面の一部分において所定のサービス時用コンテンツを再生し、当該サービス選択画面において複数の選択項目から１の選択項目が選択されたときに、当該選択された選択項目が選択されるまで再生されていた前記サービス時用コンテンツとは異なるサービス時用コンテンツを再生する、サービス制御方法。
【発明の詳細な説明】
【技術分野】
【０００１】
この発明は、サービス提供装置、サービス制御プログラムおよびサービス制御方法に関し、特にたとえば、所定のサービスを提供する、サービス提供装置、サービス制御プログラムおよびサービス制御方法に関する。
【背景技術】
【０００２】
従来のこの種のサービス提供装置の一例であるプリントサービス端末は、店頭に配置され、ユーザが操作することにより、デジタルカメラ、携帯電話機またはスマートフォンで撮影した写真やＳＤカードやディスクなどの各種のメディアに記録した写真などがプリントされる。プリントサービス端末では、ユーザが操作していない待機画面で広告のようなコンテンツが再生される。
【０００３】
また、この種のサービス提供装置の他の例が特許文献１に開示される。この特許文献１に開示される広告情報配信システムでは、ユーザがサーバにアクセスした履歴に基づいて、サーバからユーザの端末に、ユーザの嗜好にあった広告コンテンツを配信する。
【先行技術文献】
【特許文献】
【０００４】
【特許文献１】特開２０１０−２７２０１４号公報［G06Q 30/00, G06F 13/00, G06F19/00］
【発明の概要】
【発明が解決しようとする課題】
【０００５】
しかし、従来のプリントサービス端末では、ユーザが操作を開始すると、プリントサービスを提供するための画面に切り替わるため、ユーザに多くの情報を提供することができない。つまり、広告の効果が少ないと思われる。
【０００６】
また、特許文献１の広告情報配信システムでは、ユーザの個人情報や履歴情報を記憶する必要があるため、不特定多数のユーザが利用する装置（端末）には適さない。
【０００７】
それゆえに、この発明の主たる目的は、新規な、サービス提供装置、サービス制御プログラムおよびサービス制御方法を提供することである。
【０００８】
この発明の他の目的は、ユーザに多くの適切な情報を提供できる、サービス提供装置、サービス制御プログラムおよびサービス制御方法を提供することである。
【課題を解決するための手段】
【０００９】
第１の発明は、待機画面を表示手段の表示面に表示する待機画面表示手段、待機画面の表示中に待機時用コンテンツを再生し、入力手段から入力があったとき待機時用コンテンツの再生を停止する待機時コンテンツ再生制御手段、待機画面の表示中に入力手段から入力があったとき、所定のサービスに係る複数の選択項目から１の選択項目を選択するための所定のサービス選択画面を表示手段の表示面に表示するサービス選択画面表示手段、およびサービス選択画面の一部分において所定のサービス時用コンテンツを再生し、当該サービス選択画面において複数の選択項目から１の選択項目が選択されたときに、当該選択された選択項目が選択されるまで再生されていたサービス時用コンテンツとは異なるサービス時用コンテンツを再生するサービス時コンテンツ再生制御手段を備える、サービス提供装置である。
【００１０】
第１の発明によれば、ユーザに多くの情報を提供できる。
【００１１】
第２の発明は、第１の発明に従属するサービス提供装置であって、サービス時コンテンツ再生制御手段は、サービス選択画面の一部分において、当該サービス提供装置自身が設置されている場所に応じたサービス時用コンテンツを再生する。
【００１２】
第２の発明によれば、サービス提供装置の設置場所に応じたサービス時用コンテンツが再生されるので、その設置場所で必要な情報をユーザに提供できる。
【００１３】
第３の発明は、第１の発明に従属するサービス提供装置であって、サービス選択画面表示手段は、サービス選択画面において複数の選択項目から１の選択項目が選択されたときに、当該選択された選択項目に対応する他のサービス選択画面を表示し、そしてサービス時コンテンツ再生制御手段は、他のサービス選択画面の一部分において、当該選択された選択項目に対応するサービス時用コンテンツを再生する。
【００１４】
第３の発明によれば、サービス選択画面で選択された項目に応じたサービス時用コンテンツを、当該選択された選択項目に対応する他のサービス選択画面の一部で再生するので、ユーザが必要とする情報を提供できる。
【００１５】
第４の発明は、第１の発明に従属するサービス提供装置であって、データをプリントするプリント手段をさらに備え、サービス時コンテンツ再生制御手段は、プリントしようとするデータを媒介するメディアの種類に応じたサービス時用コンテンツを再生する。
【００１６】
第４の発明によれば、ユーザが必要とする情報をメディアの種類から推測して提供できる。
【００１７】
第５の発明は、第４の発明に従属するサービス提供装置であって、メディアに記憶されたデータのデータ量を検出するデータ量検出手段をさらに備え、サービス時コンテンツ再生制御手段は、データ量検出手段の検出結果に応じたサービス時用コンテンツを再生する。
【００１８】
第５の発明によれば、ユーザが必要とする情報をメディア内のデータ量から推測して提供できる。
【００１９】
第６の発明は、第１の発明に従属するサービス提供装置であって、待機時用コンテンツおよびサービス時用コンテンツを記憶する記憶手段、ネットワーク上のサーバから新たなコンテンツを取得するコンテンツ取得手段、および記憶手段に記憶されたサービス時用コンテンツおよび待機時用コンテンツの少なくとも一方をコンテンツ取得手段によって取得された新たなコンテンツに更新するコンテンツ更新手段をさらに備える。
【００２０】
第６の発明によれば、ユーザに最新の情報を提供できる。
【００２１】
第７の発明は、第１ないし第６のいずれかの発明に従属するサービス提供装置であって、サービス時用コンテンツは、テロップ表示される。
【００２２】
第７の発明によれば、ユーザに多くの適切な情報を提供できる。
【００２３】
第８の発明は、第１ないし第７のいずれかの発明に従属するサービス提供装置であって、サービス時コンテンツ再生制御手段は、複数の選択項目をサービス選択画面の中央部に表示し、サービス時用コンテンツをサービス選択画面の端部に表示する。
【００２４】
第８の発明によれば、ユーザに適切な情報を提供できる。
【００２５】
第９の発明は、コンピュータを、待機画面を表示手段の表示面に表示する待機画面表示手段、待機画面の表示中に待機時用コンテンツを再生し、入力手段から入力があったとき待機時用コンテンツの再生を停止する待機時コンテンツ再生制御手段、待機画面の表示中に入力手段から入力があったとき、所定のサービスに係る複数の選択項目から１の選択項目を選択するための所定のサービス選択画面を表示手段の表示面に表示するサービス選択画面表示手段、およびサービス選択画面の一部分において所定のサービス時用コンテンツを再生し、当該サービス選択画面において複数の選択項目から１の選択項目が選択されたときに、当該選択された選択項目が選択されるまで再生されていたサービス時用コンテンツとは異なるサービス時用コンテンツを再生するサービス時コンテンツ再生制御手段として機能させる、サービス制御プログラムである。
【００２６】
第１０の発明は、コンピュータによるサービス制御方法であって、コンピュータは、（ａ）待機画面を表示手段の表示面に表示し、（ｂ）待機画面の表示中に待機時用コンテンツを再生し、入力手段から入力があったとき当該第１コンテンツの再生を停止し、（ｃ）待機画面の表示中に入力手段から入力があったとき、所定のサービスに係る複数の選択項目から１の選択項目を選択するための所定のサービス選択画面を表示手段の表示面に表示し、そして（ｄ）サービス選択画面の一部分において所定のサービス時用コンテンツを再生し、当該サービス選択画面において複数の選択項目から１の選択項目が選択されたときに、当該選択された選択項目が選択されるまで再生されていたサービス時用コンテンツとは異なるサービス時用コンテンツを再生する。
【００２７】
第９、第１０の各発明によっても、第１の発明と同様に、ユーザに多くの情報を提供できる。
【発明の効果】
【００２８】
この発明によれば、ユーザに多くの適切な情報を提供できる、サービス提供装置、サービス制御プログラムおよびサービス制御方法が実現される。
【図面の簡単な説明】
【００２９】
【図１】この発明の第１実施例のプリントサービス提供装置の構成を示すブロック図である。
【図２】図１に示すディスプレイに表示される待機画面の一例を示す図解図である。
【図３】図１に示すディスプレイに表示されるコンテンツ再生画面の一例を示す図解図である。
【図４】図１に示すディスプレイに表示されるサービス選択画面の一例を示す図解図である。
【図５】図１に示すディスプレイに表示されるサービス実行指示画面の一例を示す図解図である。
【図６】図１に示すディスプレイに表示されるサービス実行中画面の一例を示す図解図である。
【図７】図１に示すメモリのメモリマップの一例を示す図解図である。
【図８】図７に示すサービス時用コンテンツの具体例を示す図解図である。
【図９】図１に示すＣＰＵのプリントサービス制御処理の一部を示すフロー図である。
【図１０】図１に示すＣＰＵのプリントサービス制御処理の他の一部であって、図９に後続するフロー図である。
【図１１】図１に示すＣＰＵのプリントサービス制御処理のその他の一部であって、図１０に後続するフロー図である。
【図１２】この発明の第２実施例において、ディスプレイに表示されるサービス選択画面の一例を示す図解図である。
【図１３】この発明の第２実施例において、ディスプレイに表示されるメディア選択画面の一例を示す図解図である。
【図１４】この発明の第２実施例において、ディスプレイに表示されるサイズ選択画面の一例を示す図解図である。
【図１５】この発明の第２実施例において、ディスプレイに表示されるサービス実行指示画面の一例を示す図解図である。
【図１６】この発明の第２実施例において、ディスプレイに表示されるサービス実行中画面の一例を示す図解図である。
【図１７】第２実施例におけるメモリのメモリマップの一例を示す図解図である。
【図１８】図１７に示す第１−第３選択テーブルの具体例を示す図解図である。
【図１９】図１７に示すデータ量テーブルの具体例を示す図解図である。
【図２０】第２実施例におけるＣＰＵのプリントサービス制御処理の一部であって、第１実施例で示した図９に後続するフロー図である。
【図２１】第２実施例におけるＣＰＵのプリントサービス制御処理の他の一部であって、図２０に後続するフロー図である。
【図２２】この発明の第３実施例におけるプリントサービス提供装置のＣＰＵのコンテンツ管理処理を示すフロー図である。
【図２３】第３実施例におけるサーバのＣＰＵのコンテンツ配信処理を示すフロー図である。
【発明を実施するための形態】
【００３０】
［第１実施例］
図１を参照して、この発明の第１実施例であるプリントサービス提供装置１０はＣＰＵ１２を含む。ＣＰＵ１２には、バス３０を介してメモリ１４、タッチパネル１６、プリンタ２２、メディアリーダ２４、無線通信回路２６およびネットワーク通信回路２８が接続され、さらにバス３０および描画コントローラ１８を介してディスプレイ２０が接続される。メディアリーダ２４にはメディア２００が装着可能であり、無線通信回路２６はスマートフォン２０２と無線通信可能である。ネットワーク通信回路２８は、インターネット２０４を介してサーバ２０８と接続されており、サーバ２０８との間でネットワーク通信可能である。
【００３１】
図１に戻って、ＣＰＵ１２は、プリントサービス提供装置１０の全体的な制御を司る。メモリ１４は、ＲＡＭのようなメモリであり、ＣＰＵ１２によって処理を実行される各種のプログラムおよび各種のプログラムの実行に必要なデータを記憶し（図７参照）、ＣＰＵ１２のワーク領域およびバッファ領域として用いられる。図示は省略するが、ハードディスクのような不揮発性のメモリもバス３０に接続される。
【００３２】
タッチパネル１６は、ユーザのタッチ入力を検出して、このタッチ入力で指示される位置の座標（タッチ座標）のデータ（タッチ座標データ）をＣＰＵ１２に出力する。タッチパネル１６は、汎用のタッチパネルであり、静電容量方式、電磁誘導方式、抵抗膜方式、赤外線方式など、任意の方式のものを用いることができる。この第１実施例では、タッチパネル１６としては、静電容量方式のタッチパネルがディスプレイ２０の画面上に設けられる。したがって、タッチパネル１６（ＣＰＵ１２）は、ディスプレイ２０の画面（表示領域）に対するタッチ入力を検出可能である。描画コントローラ１８は、ＧＰＵ、ＶＲＡＭなどを含み、ＣＰＵ１２の指示の下で、ディスプレイ２０の表示面に各種の画像を描画する。
【００３３】
プリンタ２２は、写真印刷用のプリンタであり、この第１実施例では昇華型プリンタを用いる。昇華型プリンタは、固形インクが塗布されたインクリボンを印字ヘッドで加熱して固形インクを昇華（固体から液体を経ずに気体に変化）させ、ポリエステル系の樹脂でコーティングされた専用紙にインクを付着させる（転写する）タイプのプリンタをいい、ドット毎にインクの濃度が調整できるため、階調表現に優れ、写真印刷にも耐えうる高い画質が得られる。ただし、高画質のものであれば、昇華型プリンタに限定する必要はない。
【００３４】
メディアリーダ２４は、各種のメディアに記憶されたデータを読み込むリーダであり、メモリカード用リーダ、小型メモリカード用リーダ、ＵＳＢメモリ用リーダ、ディスク用リーダなどを含む。メモリカード（たとえばＳＤカード、コンパクトフラッシュ（登録商標）など）はデジタルカメラなどで使用され、小型メモリカード（たとえばミニＳＤカード、マイクロＳＤカードなど）は携帯電話機、スマートフォン２０２などで使用され、ＵＳＢメモリはＰＣなどのコンピュータで使用され、ディスク（たとえばＣＤ、ＤＶＤなど）はＰＣなどのコンピュータや専用のプレイヤ／レコーダなどで使用される。
【００３５】
無線通信回路２６は、たとえばＷｉ−Ｆｉ規格に基づく通信回路であり、スマートフォン２０２など他のＷｉ−Ｆｉ機器との間で通信（無線通信）するために使用される。なお、線通信回路２６は、赤外線による通信回路を含み、携帯電話機との間で赤外線通信することもできる。また、無線通信回路２６は、Bluetooth（登録商標）を含む場合もある。ネットワーク通信回路２８は、たとえばネットワーク・インターフェース・カード（ＬＡＮカードともいう）であり、この実施例では、インターネット２０４を介してサーバ２０８との間で通信（ネットワーク通信）するために使用される。
【００３６】
サーバ２０８は、プリントサービス提供装置１０にプログラムを配信したり、プリントサービス提供装置１０や同種の他のプリントサービス提供装置と共働して、オンラインＤＰＥ（Development Printing Enlargement）サービスを提供したりする。
【００３７】
なお、図示は省略するが、バス３０には、ユーザがプリントサービス提供の対価（代金）として硬貨を投入するためのコインベンダや、代金の支払いに対する領収書を印刷するためのプリンタ（たとえば感熱型プリンタ）も接続される。また、タッチパネル１６以外の入力手段として、たとえばハードウェアの操作パネル（ボタン、キー）などが接続されていてもよい。
【００３８】
このような構成のプリントサービス提供装置１０は、たとえば、カメラ店、コンビニエンスストア、百貨店など、不特定多数のユーザが訪れる（集まる）場所に設置される。このプリントサービス提供装置１０をユーザが操作することにより、ユーザがデジタルカメラやスマートフォン２０２で撮影した写真、または、各種のメディアに記録された写真がプリントされる。ただし、プリントされる対象は、写真に限定される必要は無く、文字やイラストなども含む。また、単に写真をプリントするだけでは無く、証明写真としてプリントしたり、複数の写真を用いてカレンダやフォトブックを作成（注文）したりすることも可能である。
【００３９】
たとえば、プリントサービス提供装置１０は、電源投入後、図２に示すような待機画面（初期画面）１００がディスプレイ２０の表示面に表示される。ただし、この待機画面１００は、ユーザがプリントサービスの提供を受け、プリントサービスの提供が終了された場合にも、ディスプレイ２０の表示面に表示される。
【００４０】
以下、各画面がディスプレイ２０の表示面に表示される場合について説明するが、上述したように、ディスプレイ２０の表示面上にタッチパネル１６が設けられるため、ユーザは各画面においてタッチ入力することができる。
【００４１】
図２に示す待機画面１００には、その中央からやや下寄りにスタートボタン１０２が表示され、その周辺に提供可能なサービスについての案内画像が表示される。図２に示す例では、Ｌ判写真のプリント、証明写真のプリントおよびカレンダのプリント（作成）のサービスについての画像が表示される。また、スタートボタン１０２の下側には、当該スタートボタン１０２を押すとプリントサービスが開始される旨のメッセージが表示される。ここでは、“スタートはこちら”というメッセージが表示される。
【００４２】
このような待機画面１００の表示中に、何も入力がない状態が一定時間（たとえば、５分〜１０分）以上継続すると、待機中のコンテンツ（以下、「待機時用コンテンツ」という）が再生される。したがって、図３に示すようなコンテンツ再生画面１５０がディスプレイ２０の表示面に表示される。この第１実施例では、待機画面１００に代えてコンテンツ再生画面１５０が表示されるようにしてあるが、たとえば、待機画面１００の縦幅を縮小するなどして出来た隙間を利用して待機時用コンテンツを再生するようにしてもよい。
【００４３】
図３に示すように、コンテンツ再生画面１５０では、このプリントサービス提供装置１０を用いて、Ｌ判の写真だけでなく、２Ｌ判の写真もプリントできることのメッセージが表示される。また、コンテンツ再生画面１５０には、サービスの提供を受ける場合には、画面をタッチするべきであることを示すメッセージも表示される。ここでは、“画面をタッチしてください。”というメッセージが表示される。
【００４４】
たとえば、このコンテンツ再生画面１５０では、このプリントサービス提供装置１０の特徴的な機能を用いたサービスやこのプリントサービス提供装置１０の所有者ないしこれを用いたプリントサービスの提供者が推しているサービスについて情報（コンテンツ）が再生される。
【００４５】
通常、図２に示す待機画面１００のスタートボタン１０２がタッチされたり（押されたり）、コンテンツ再生画面１５０がタッチされたりすると、提供するサービスを選択するための画面に表示が切り替わる。したがって、コンテンツの再生が終了される。その後、ユーザは、サービスを提供する画面に従って操作する。
【００４６】
つまり、コンテンツが再生された場合であっても、ユーザがコンテンツを見るのは、プリントサービス提供装置１０の設置場所に来てからサービスの提供を受けるための操作を開始するまでの短時間であるため、再生できるコンテンツ（情報）の量はごくわずかである。
【００４７】
そこで、この第１実施例では、サービスの提供を開始した後もコンテンツを提供することにより、より多くのコンテンツ（情報）をユーザに提供できるようにしてある。
【００４８】
上述したように、図２に示す待機画面１００のスタートボタン１０２がタッチされたり（押されたり）、コンテンツ再生画面１５０がタッチされたりすると、提供するサービスを選択するための画面に表示が切り替わる。この実施例では、待機画面１００またはコンテンツ再生画面１５０に代えて、図４に示すようなサービス選択画面２００がディスプレイ２０の表示面に表示される。
【００４９】
このサービス選択画面２００は、領域２０２、２０４および２０６に縦に分割されており、画面中央の領域２０２には、サービスを選択するためのボタン２１０、２１２、２１４が縦に並んで表示される。領域２０４および２０６には、広告のような情報（コンテンツ）が再生（テロップ表示）される。以下、サービスの提供中に再生されるコンテンツを「サービス時用コンテンツ」ということにする。
【００５０】
ボタン２１０は、Ｌ判写真のプリントサービスを選択するために設けられる。ボタン２１２は、証明写真のプリントサービスを選択するために設けられる。ボタン２１４は、カンレダのプリントサービスを選択するために設けられる。
【００５１】
この第１実施例では、サービス選択画面２００（後述するサービス実行指示画面２５０およびサービス実行中画面３００も同じ）では、表示領域２０４および２０６に表示されるサービス時用コンテンツ（情報）は、当該プリントサービス提供装置１０が設置される場所に応じて予め決定されている。たとえば、プリントサービス提供装置１０がカメラ店に設置されている場合には、サービス時用コンテンツとしてＤＰＥ情報が表示される。また、プリントサービス提供装置１０がコンビニエンスストアに設置されている場合には、サービス時用コンテンツとしてトラベル情報が表示される。さらに、プリントサービス提供装置１０が百貨店に設置されている場合には、サービス時用コンテンツとして催し物情報が表示される。各情報（サービス時用コンテンツ）は、プリントサービス提供装置１０に予め不揮発性のメモリに記憶され、適宜更新される。以下、この明細書において、同じである。
【００５２】
この第１実施例では、プリントサービス提供装置１０はカメラ店に設置され、したがって、サービス選択画面２００では、ＤＰＥ情報が表示される。図４に示す例では、領域２０４には、オンラインＤＰＥサービスについての情報を領域２０６に表示していることが表示され、領域２０６には、オンラインＤＰＥサービスをホームページから申し込めることのメッセージが表示される。
【００５３】
なお、プリントサービス装置１０が、たとえばコンビニエンスストアに設置された場合、旅行、コンサートチケット等の予約が可能な端末も併設されることを考慮して、たとえば“○○温泉〜１泊２日２万円〜”といったトラベル情報を含むサービス時用コンテンツを再生する。また、百貨店に設置された場合には、たとえば“９階催物会場〜服飾品セール〜”といった催し物情報を含むサービス時用コンテンツを再生する。
【００５４】
図４に示すサービス選択画面２００において、ボタン２１０がタッチされると、図５に示すようなサービス実行指示画面２５０がディスプレイ２０の表示面に表示される。
【００５５】
なお、第１実施例では、写真のサイズに応じてコンテンツが変化されることが無いため、Ｌ判や２Ｌ判かを選択する画面等を省略し、Ｌ判でプリントすることを前提として説明する。同様に、データを読み取るメディア２００、携帯電話機またはスマートフォン２０２に応じてコンテンツが変化されることが無く、このことは本願発明の本質的な内容ではない。したがって、メディア２００が装着されることを前提として説明してある。しかし、実際には、データを読み取るメディア２００、携帯電話機またはスマートフォン２０２を選択する画面が表示され、読み取るメディア２００等が選択され、メディア２００等が装着または通信により接続されると、メディア２００等に記録されたデータが読み込まれ、プリントする写真とプリント枚数を選択する画面が表示される。そして、プリントする写真とプリント枚数が決定（選択）されると、図５に示すサービス実行指示画面２５０が表示される。
【００５６】
図５に示すように、サービス実行指示画面２５０は、３つの領域２５２、２５４および２５６に縦に分割されており、画面中央の領域２５２には、ボタン２６０およびボタン２６２が横に並んで表示される。上述したように、領域２５４および２５６には、ＤＰＥ情報が表示（再生）される。
【００５７】
ボタン２６０はＬ判写真のプリントを実行するために設けられる。ボタン２６２はＬ判写真のプリントをキャンセルするために設けられる。上述したように、領域２５４にＤＰＥ情報が表示され、それに関する情報が領域２５６に表示される。図５に示す例では、領域２５４には、オンラインＤＰＥサービスについての情報を領域２５６に表示していることが表示され、領域２５６には、オンラインＤＰＥサービスについての料金の情報（“Ｌ判１枚３０円、２Ｌ判１枚５０円…”）が表示される。
【００５８】
サービス実行指示画面２５０において、ボタン２６０がタッチされると、図６に示すようなサービス実行中画面３００がディスプレイ３００に表示される。また、メディア２００からデータが読み込まれ、サービス選択画面２００で選択された内容に応じたプリントサービスが実行される。ここでは、Ｌ判写真のプリントが開始される。
【００５９】
なお、サービス実行指示画面２５０において、ボタン２６２がタッチされると、Ｌ判写真のプリントがキャンセルされ、図２に示した待機画面１００に戻る。また、ボタン２６０がタッチされ、メディア２００からのデータ読み込みが完了してプリントする写真およびプリント枚数が定まった段階で、サービス実行指示画面１０６上に代金が表示され、ユーザは支払いを行う。
【００６０】
図６に示すように、サービス実行中画面３００は、３つの領域３０２、３０４および３０６に縦に分割されており、画面中央の領域３０２には、プリント中であることを報知するメッセージが表示される。また、上述したように、領域３０４および３０６には、ＤＰＥ情報が表示（再生）される。
【００６１】
具体的には、領域３０２には、“プリントが終わるまでしばらくお待ちください…”というメッセージが表示される。なお、図示は省略するが、プリントが完了すると“写真を取り出してください”というメッセージが表示され、このプリント処理は終了となる。
【００６２】
また、領域３０４には、オンラインＤＰＥサービスについての情報を領域３０６に表示していることが表示され、領域３０６には、ホームページにオンラインＤＰＥサービスの詳細が記載されていることのメッセージ（“詳細はホーム頁をご覧ください”）が表示される。
【００６３】
なお、詳細な説明は省略するが、サービス選択画面２００で、ボタン２１２やボタン２１４がタッチされた場合には、証明写真やカレンダをプリントするための画面が順次表示される。このとき、図４−図６に示した各画面（２００、２５０、３００）と同様に、サービスを実行するのに必要なボタン等が表示されるのみならず、サービス時用コンテンツが再生（テロップ表示）される。
【００６４】
このように、待機中にコンテンツを再生するのに加えて、サービスの提供中にもコンテンツを再生することで、ユーザにより多くの情報を提供できる。また、サービスの提供中に再生するコンテンツは設置場所に応じたコンテンツであるため、設置場所に来ているユーザに合っていると考えられる情報やサービスの提供者等が当該ユーザに提供したいと考える情報を提供することができる。つまり、適切な情報を提供することができると考えられる。
【００６５】
以上のようなプリントサービス提供装置１０の動作は、ＣＰＵ１２が、メモリ１４に記憶されたプリント制御プログラムを実行することにより実現される。このとき、メモリ１４に記憶された各種のデータ等が用いられる。この第１実施例では、プリント制御プログラムは、不揮発性のメモリ（ハードディスク）から取得される。このことは、一部のデータ（待機時用コンテンツデータ７２、サービス時用コンテンツデータ７６、画面生成データ８０）についても同様である。
【００６６】
図７は、図１に示したメモリ１４のメモリマップ４０を示す。メモリ１４は、プログラム記憶領域５０およびデータ記憶領域７０を含む。プログラム記憶領域５０には、プリントサービス制御プログラムが記憶される。プリントサービス制御プログラムは、入力検出プログラム５２、画面表示プログラム５４、コンテンツ再生プログラム５６、プリント制御プログラム５８、無線通信制御プログラム６０およびネットワーク通信制御プログラム６２などで構成される。
【００６７】
入力検出プログラム５２は、タッチパネル１６から出力されたタッチ座標データに基づいて、タッチ入力の有無、ひいては、そのタッチ入力がディスプレイ２０に表示面の位置を検出するためのプログラムである。ただし、入力検出プログラム５２は、他の入力装置（ハードウェアの操作パネルなど）からの入力を検出するためのプログラムでもある。
【００６８】
画面表示プログラム５４は、描画コントローラ１８を制御して、ディスプレイ２０に各種の画面（第１実施例では、１００、２００、２５０、３００）を表示するためのプログラムである。コンテンツ再生プログラム５６は、待機中に待機時用コンテンツデータ７２に従ってコンテンツ再生画面１５０をディスプレイ２０の表示面に表示したり、画面表示プログラム５４に従って表示された各種の画面に表示するべきコンテンツを選択し、描画コントローラ１８を制御して、選択したコンテンツをディスプレイ２０にテロップ表示（再生）したりするためのプログラムである。このコンテンツ再生プログラム５６に従って、待機時用コンテンツを再生したり、サービス時用コンテンツを再生したりするのである。
【００６９】
プリント制御プログラム５８は、プリンタ２２を制御して写真や文字を用紙に印刷するためのプログラムである。無線通信制御プログラム６０は、無線通信回路２６を制御して、携帯電話機やスマートフォン２０２などの他の無線通信可能な機器との間で無線通信を行うためのプログラムである。ネットワーク通信制御プログラム６２は、ネットワーク通信回路２８を制御して、サーバ２０８との間でインターネット２０４を介したネットワーク通信を行うためのプログラムである。
【００７０】
また、データ記憶領域７０には、待機時用コンテンツ７２、設置場所データ７４、設置場所テーブル７６、選択項目データ７８および画面生成データ８０などが記憶される。
【００７１】
待機時用コンテンツデータ７２は、待機中に再生される待機時用コンテンツのデータである。この第１実施例では、待機時用コンテンツデータ７２は、図３に示したようなコンテンツ再生画面１５０を表示するための画像データである。
【００７２】
設置場所データ７４は、プリントサービス提供装置１０の設置場所（カメラ店、コンビニエンスストア、百貨店など）を示すデータであり、プリントサービス提供装置１０を設置したときに設置者ないし管理者によって不揮発性のメモリに記憶され、プリントサービス制御処理を実行するときにデータ記憶領域７０に読み込まれる。
【００７３】
サービス時用コンテンツデータ７６は、設置場所に応じて、サービス時用コンテンツの情報が記述されたテーブル形式のデータ（設置場所テーブル７６ａ）を含む。具体的には、図８に示すように、設置場所テーブル７６ａでは、設置場所として、カメラ店、コンビニエンスストアおよび百貨店が記述され、カメラ店に対してはＤＰＥ情報を含むサービス時用コンテンツが記憶され、コンビニエンスストアに対してはトラベル情報を含むサービス時用コンテンツが記憶され、そして、百貨店に対しては催し物情報を含むサービス時用コンテンツが記憶される。この実施例では、サービス時用コンテンツは文字（メッセージ）でテロップ表示されるため、基本的には、サービス時用コンテンツのデータはテキストデータである。
【００７４】
図７に戻って、選択項目データ７８は、図４に示したようなサービス選択画面２００で選択されたサービスの項目を示すデータである。画面生成データ８０は、画面表示プログラム５４およびコンテンツ再生プログラム５６で画面やテロップを表示する場合に、画面やテロップの画像データを生成するためのポリゴンデータやテクスチャデータなどのデータである。また、データ記憶領域７０には、タイマ８２が設けられる。タイマ８２は、待機中の一定時間（たとえば、５分−１０分）をカウントするために用いられる。
【００７５】
図９−図１１は、ＣＰＵ１２によって実行されるプリントサービス制御処理のフロー図である。図９を参照して、プリントサービス提供装置１０が起動されると、ＣＰＵ１２は、プリントサービス制御処理を開始し、ステップＳ１で、図２に示したような待機画面１００を表示する。ここでは、ＣＰＵ１２の指示の下、描画コントローラ１８が、画面生成データ８０を用いて、待機画面１００の画像データを生成し、生成した画像データをディスプレイ２０に出力する。以下、各画面を表示する場合について同様である。
【００７６】
次に、ステップＳ３で、タイマ８２をリセットおよびスタートする。次のステップＳ５では、タッチが検出されたかどうかを判断する。ここでは、ＣＰＵ１２は、タッチパネル１６の出力を検出して、タッチ入力が有るかどうかを判断する。
【００７７】
タッチパネル１６からタッチ座標データが出力されている場合には、ステップＳ５で“ＹＥＳ”と判断し、ステップＳ１７に進む。タッチパネル１６からタッチ座標データが出力されていない場合、ステップＳ５で“ＮＯ”と判断して、ステップＳ７で、一定時間（たとえば、５分−１０分）を経過したかどうかを判断する。ここでは、ＣＰＵ１２は、タイマ８２のカウント値が一定時間を超えたかどうかを判断する。
【００７８】
ステップＳ７で“ＮＯ”であれば、つまり一定時間を経過していなければ、そのままステップ５に戻る。一方、ステップＳ７で“ＹＥＳ”であれば、つまり一定時間を経過していれば、ステップＳ９で、待機時用コンテンツデータ７２の再生を開始して、ステップＳ１１に進む。
【００７９】
ステップＳ１１では、タッチが検出されたかどうかを判断する。この処理は、ステップＳ９と同じである。ステップＳ１１で“ＮＯ”であれば、同じステップＳ１１に戻る。したがって、待機時用コンテンツの再生が継続される。一方、ステップＳ１１で“ＹＥＳ”であれば、ステップＳ１３で、待機時用コンテンツの再生を終了して、ステップＳ１７に進む。
【００８０】
ステップＳ１７では、設置場所データ７４の示す設置場所に対応するサービス時用コンテンツをサービス時用コンテンツデータ７６に含まれる設置場所テーブル７６ａから取得して、図１０に示すステップＳ１９に進む。
【００８１】
図１０に示すように、ステップＳ１９では、図４に示したようなサービス選択画面２００のディスプレイ２０の表示面に表示する。次のステップＳ２１では、サービス選択画面２００の領域２０４および２０６に、ステップＳ１７で取得したサービス時用コンテンツをテロップ表示する。ここでは、ＣＰＵ１２の指示の下、描画コントローラ１８は、取得したサービス時用コンテンツをテロップ表示（再生）する。以下、サービス時用コンテンツを表示する場合について同様である。
【００８２】
次のステップＳ２３では、選択入力を検出したかどうかを判断する。ここでは、ＣＰＵ１２は、タッチパネル１６から出力されるタッチ座標データを検出して、ボタン２１０、２１２、２１４のいずれかがタッチされたかどうか判断する。ステップＳ２３で“ＮＯ”であれば、つまり選択入力を検出していなければ、ステップＳ２１に戻って、サービス時用コンテンツの再生を継続（テロップ表示を更新）する。
【００８３】
一方、ステップＳ２３で“ＹＥＳ”であれば、つまり選択入力を検出すれば、ステップＳ２５で、選択項目つまりタッチされたボタン（２１０、２１２、２１４）に設定されたサービスの内容を選択項目データ７８としてデータ記憶領域７０に記憶する。
【００８４】
図１１に示すように、次のステップＳ２７では、図５に示したようなサービス実行指示画面２５０を表示し、ステップＳ２９で、サービス実行指示画面２５０の領域２５４および２５６に、ステップＳ１７で取得したサービス時用コンテンツを再生する。
【００８５】
次のステップＳ３１では、実行入力を検出したかどうかを判断する。ここでは、ＣＰＵ１２は、タッチパネル１６から出力されるタッチ座標データを検出し、ボタン２６０がタッチされたかどうかを判断する。ステップＳ３１で“ＮＯ”であれば、つまり実行入力を検出しなければ、ステップＳ２９に戻る。したがって、サービス時用コンテンツの再生が継続される。なお、図示は省略するが、ボタン２６２がタッチされた場合には、Ｌ判写真のプリント、証明写真のプリントまたはカレンダのプリントをキャンセルし、ステップＳ１に戻る。
【００８６】
一方、ステップＳ３１で“ＹＥＳ”であれば、つまり実行入力を検出すれば、ステップＳ３３で、メディアリーダ２４に装着されたメディア２００からのデータの読み込みを行った後、ステップＳ３５で、図６に示したようなサービス実行中画面２００を表示する。次のステップＳ３７では、プリンタ２２を制御して、選択項目データ７８に基づくプリントサービスを実行し、ステップＳ３９で、サービス実行中画面３００の領域３０４および３０６に、ステップＳ１７で取得したサービス時用コンテンツを再生する。
【００８７】
そして、ステップＳ４１で、完了かどうかを判断する。ここでは、ＣＰＵ１２は、すべてのプリントを終了したかどうかを判断する。ステップＳ４１で“ＮＯ”であれば、つまり完了で無ければ、ステップＳ３７に戻って、プリントを継続するとともに、サービス時用コンテンツの再生を継続する。一方、ステップＳ４１で“ＹＥＳ”であれば、つまり完了であれば、ステップＳ１に戻る。つまり、待機画面１００に戻る。
【００８８】
この第１実施例によれば、ユーザの操作が無い待機中に待機時用コンテンツを再生し、サービスの提供中には、待機時用コンテンツとは異なるサービス時用コンテンツを再生するので、ユーザに多くの情報を提供することができる。
【００８９】
また、第１実施例によれば、設置場所に応じたサービス時用コンテンツを再生するので、設置場所に来たユーザに合うと考えられるコンテンツや設置場所に適したコンテンツを提供することができる。つまり、ユーザに適切なコンテンツを提供することができる。
［第２実施例］
第２実施例のプリントサービス提供装置１０は、提供するサービスの種類、メディアの種類、用紙サイズおよびデータ量に応じて、再生されるサービス時用コンテンツが異なり、提供するサービスの種類、メディアの種類および用紙サイズが選択されたことに応じて、再生されるサービス時用コンテンツが変化される点が異なる以外は、第１実施例と同じであるため、重複した説明は省略することにする。
【００９０】
なお、第２実施例では、プリントサービス提供装置１０は、コンビニンスストアに設置されているものとする。したがって、設置場所に応じたサービス時用コンテンツとして、設置場所テーブル７６ａに従ってトラベル情報が取得される。
【００９１】
第２実施例では、待機画面１００のスタートボタン１０２がタッチされたり、コンテンツ再生画面１５０がタッチされたりすると、図１２に示すような第１選択画面（サービス選択画面）３５０がディスプレイ２０の表示面に表示される。この第１選択画面３５０は、図４に示したサービス選択画面２００と略同じであるため、重複する内容については簡単に説明する。
【００９２】
第１選択画面３５０は、領域３５２、３５４および３５６に縦に分割されており、画面中央の領域２０２には、サービスを選択するためのボタン３６０、３６２、３６４が縦に並んで表示される。領域３５４および３５６には、設置場所テーブル７６ａに従うトラベル情報についてのサービス時用コンテンツが再生（テロップ表示）される。たとえば、図１２に示す例では、領域３５４には、○○温泉の情報を領域３５６に表示することが表示され、領域３５６には、温泉施設の宿泊料についての情報（ここでは、“１泊２日  ２万円〜”）が表示される。
【００９３】
たとえば、第１選択画面３５０でボタン３６０がタッチされると、Ｌ判写真のプリントサービスが選択され、図１３に示すような第２選択画面（メディア選択画面）４００がディスプレイ２０の表示面に表示される。
【００９４】
この第２選択画面４００は、領域４０２、４０４および４０６に縦に分割されており、画面中央の領域４０２には、メディア（メディア２００およびスマートフォン２０２）を選択するためのボタン４１０、４１２、４１４、４１６、４１８が二列に並んで表示される。ボタン４１０はメモリカードを選択するために設けられる。ボタン４１２は、小型メモリカードを選択するために設けられる。ボタン４１４はＵＳＢメモリを選択するために設けられる。ボタン４１６はディスクを選択するために設けられる。ボタン４１８はスマートフォンを選択するために設けられる。なお、メディアを内蔵ないし装着したスマートフォンは、そのメディア内のデータを無線通信によってプリントサービス装置２０に転送可能であるため、この第２実施例では、スマートフォンをメディアの一種としている。
【００９５】
また、領域４０４および４０６には、第１選択画面３５０で選択したプリントサービスに応じたサービス時用コンテンツが再生（テロップ表示）される。たとえば、プリントサービスがＬ判写真である場合には、サービス時用コンテンツとしてフォトスタジオ情報が表示される。また、プリントサービスが証明写真である場合には、サービス時用コンテンツとしてリクルート情報が表示される。さらに、プリントサービスがカレンダである場合には、サービス時用コンテンツとしてスケジュール情報が表示される。
【００９６】
図１３に示す第２選択画面４００では、領域４０４には、フォトスタジオの情報（ここでは、“フォトスタジオ情報”）を領域４０６に表示することが表示され、領域４０６には、フォトスタジオの場所等を紹介する情報（ここでは、“当ビル３階の○○写真館では…”）が表示される。
【００９７】
たとえば、第２選択画面４００でボタン４１０がタッチされると、メディアの種類がメモリカードに選択される。すると、図１４に示すような第３選択画面（サイズ選択画面）４５０がディスプレイ２０の表示面に表示される。
【００９８】
この第３選択画面４５０は、領域４５２、４５４および４５６に縦に分割されており、画面中央の領域４５２には、プリント（用紙）のサイズを選択するためのボタン４６０、４６２が縦に並んで表示される。ボタン４６０はＬ判を選択するために設けられる。ボタン４６２は、２Ｌ判を選択するために設けられる。
【００９９】
また、領域４５４および４５６には、第２選択画面４００で選択したメディアの種類に応じたサービス時用コンテンツが再生（テロップ表示）される。たとえば、メディアの種類がメモリカードである場合には、サービス時用コンテンツとしてデジタルカメラ情報が表示される。また、メディアの種類が小型メモリカードである場合には、サービス時用コンテンツとして携帯電話情報が表示される。さらに、メディアの種類がＵＳＢメモリである場合には、サービス時用コンテンツとしてＰＣ情報が表示される。さらにまた、メディアの種類がディスクである場合には、サービス時用コンテンツとしてプレイヤ／レコーダ情報が表示される。そして、メディアの種類がスマートフォンである場合には、サービス時用コンテンツとしてスマートフォン連携家電情報が表示される。
【０１００】
図１４に示す第３選択画面４５０では、領域４５４には、デジタルカメラの新機種が発売されることの情報（ここでは、“デジタルカメラの新機種が発売”）が表示され、領域４５６には、デジタルカメラを買い換えることを促す情報としてメッセージ（ここでは、“そろそろ買い換えませんか？”）が表示される。
【０１０１】
たとえば、図１４に示すような第３選択画面４５０でボタン４６２がタッチされると、図１５に示すようなサービス実行指示画面５００がディスプレイ２０の表示面に表示される。なお、ボタン４６０がタッチされた場合であっても、同様のサービス実行指示画面がディスプレイ２００に表示される。
【０１０２】
このサービス実行指示画面５００は、領域５０２、５０４および５０６に縦に分割されており、画面中央の領域５０２には、そのボタン５１０および５１２が横に並んで表示される。ボタン５１０はプリントサービスを実行するために設けられる。ボタン５１２は、プリントサービスをキャンセルするために設けられる。ボタン５１０および５１２の上方には、選択されたプリントサービス、選択されたメディアの種類および選択されたプリントのサイズの情報がテキストで表示される。また、プリントサービスを実行する方法を説明する内容がテキストで表示される。
【０１０３】
また、領域５０４および５０６には、第３選択画面４５０で選択したプリントのサイズに応じたサービス時用コンテンツが再生（テロップ表示）される。たとえば、プリントのサイズがＬ判である場合には、サービス時用コンテンツとしてフォトスタジオ情報が表示される。また、プリントのサイズが２Ｌ判である場合には、サービス時用コンテンツとして引き伸ばしサービス情報が表示される。
【０１０４】
図１５に示すサービス実行指示画面５００では、領域５０４には、ポスター印刷を促す情報としてメッセージ（ここでは、“ポスター印刷してみませんか？”）が表示され、領域５０６には、ポスター印刷の料金の情報（ここでは、“１枚 １０００円  ３枚 ２０００円”）が表示される。
【０１０５】
メディア２００（ここでは、メモリカード）がメディアリーダ２４に装着された後、図１５のサービス実行指示画面５００において、ボタン５１０がタッチされると、プリントサービスが実行される。すると、図１６に示すようなサービス実行中画面５５０がディスプレイ２０の表示面に表示される。
【０１０６】
なお、通常、選択したメディアを装着すると、プリントサービスを実行する前に、プリントする写真やプリント枚数を選択するが、このことは本願発明の本質的な内容ではないため、この第２実施例においても省略することにする。
【０１０７】
図１６に示すサービス実行中画面５５０は、３つの領域５５２、５５４および５５６に縦に分割されており、画面中央の領域５５２には、メディア２００（メモリカード）に記憶されている写真の枚数を報知するメッセージとともに、プリント中であることを報知するメッセージが表示される。また、領域５０４および５０６には、データ量に応じたサービス時用コンテンツがテロップ表示（再生）される。
【０１０８】
この第２実施例では、データ量は、プリントする枚数であるが、枚数に代えてプリントするすべての写真のデータ量の合計でもよい。
【０１０９】
たとえば、写真の枚数が閾値（たとえば、１００）未満である場合には、サービス時用コンテンツとしてフォトブック情報が表示される。また、写真の枚数が閾値以上である場合には、サービス時用コンテンツとしてクラウドストレージ情報が表示される。
【０１１０】
たとえば、メディアに記録された写真は３０枚であり、閾値未満であるため、図１６に示すサービス実行中画面５５０では、領域５５４には、フォトブックを作成することを促す情報としてメッセージ（ここでは、“フォトブックを作ってみませんか？”）が表示され、領域５５６には、フォトブックの価格の情報（ここでは、“一冊 ８００円〜”）が表示される。
【０１１１】
このように、サービス提供中においても、プリントサービス提供装置１０の設置場所、選択されたサービスの種類、選択されたメディアの種類、選択されたプリントのサイズおよびプリントする枚数に応じて、サービスの提供中に再生されるコンテンツが異なり、また、選択されたサービスの種類、選択されたメディアの種類および選択されたプリントのサイズに応じて、すなわちユーザの選択（操作）に応じて、再生するコンテンツの内容を変化させることができる。したがって、より多くの情報をユーザに提示することができる。また、第１選択画面３５０、第２選択画面４００、第３選択画面４５０およびサービス実行指示画面５００を用いて説明したように、選択した内容に応じたコンテンツが次に表示される画面で再生されるので、ユーザが必要とすると考えられる情報やユーザに合うと思われる情報を提供することができる。
【０１１２】
図１７は、この第２実施例におけるメモリ１４のメモリマップ４０を示す。第２実施例では、サービス時用コンテンツデータ７６に、第１選択テーブル７６ｂ、第２選択テーブル７６ｃ、第３選択テーブル７６ｄおよびデータ量テーブル７６ｅがさらに含まれる。
【０１１３】
第１選択テーブル７６ｂには、プリントサービスの種類に応じたサービス時用コンテンツが記憶される。たとえば、図１８（Ａ）に示すように、第１選択テーブル７６ｂでは、プリントサービスの種類として、Ｌ判写真、証明写真およびカレンダが登録されている。Ｌ判写に対するサービス時用コンテンツとしてフォトスタジオ情報が登録される。また、証明写真に対するサービス時用コンテンツとしてリクルート情報が登録される。そして、カレンダに対するサービス時用コンテンツとしてスケジュール帳情報が登録される。
【０１１４】
また、第２選択テーブル７６ｃは、メディアの種類に応じたサービス時用コンテンツが記憶される。たとえば、図１８（Ｂ）に示すように、第２選択テーブル７６ｃでは、メディアの種類として、メモリカード、小型メモリカード、ＵＳＢメモリ、ディスクおよび無線通信が登録されている。メモリカードに対するサービス時用コンテンツとしてデジタルカメラ情報が登録される。また、小型メモリカードに対するサービス時用コンテンツとして携帯電話情報が登録される。さらに、ＵＳＢメモリに対するサービス時用コンテンツとしてＰＣ情報が登録される。さらにまた、ディスクに対するサービス時用コンテンツとしてプレイヤ／レコーダ情報が登録される。そして、無線通信に対するサービス時用コンテンツとしてスマホ情報が登録される。
【０１１５】
さらに、第３選択テーブル７６ｄは、プリントのサイズに応じたサービス時用コンテンツが記憶される。たとえば、図１８（Ｃ）に示すように、第３選択テーブル７７ｄでは、プリントのサイズとしてＬ判および２Ｌ判が登録されている。Ｌ判に対するサービス時用コンテンツとしてはフォトスタジオ情報が登録される。また、２Ｌ判に対するサービス時用コンテンツとしては引き伸ばしサービス情報が登録される。
【０１１６】
また、データ量テーブル７６ｅは、メディア２００に記憶されたデータ量（写真の枚数）に応じたサービス時用コンテンツが記憶される。たとえば、図１９に示すように、データ量テーブル７６ｅでは、写真の枚数として閾値未満および閾値以上が登録されている。閾値未満に対するサービス時用コンテンツとしてはフォトブック情報が登録される。また、閾値以上に対するサービス時用コンテンツとしてはクラウドストレージ情報が記憶される。
【０１１７】
第２実施例におけるＣＰＵ１２のプリントサービス制御処理は、第１実施例におけるプリントサービス制御処理と一部が異なる以外は同様の処理が実行される。したがって、異なる内容について詳細に説明し、同じ処理については簡単に説明したり、省略したりする。図２０および図２１は、第２実施例におけるＣＰＵ１２のプリントサービス制御処理の一部であり、第１実施例の図９に示すフロー図に後続する。
【０１１８】
なお、第２実施例では、プリントサービス提供装置１０をコンビニエンスストアに設置すると仮定したため、設置場所データ７４としてコンビニエンスストアの情報が記憶され、したがって、図９のステップＳ１７では、設置場所テーブル７６ａからトラベル情報が取得される。
【０１１９】
図９に示したステップＳ１７の処理を実行すると、図２０に示すように、ステップＳ１８で、変数ｉに初期値をセットする（ｉ＝１）。次のステップＳ１９ａでは、第ｉ選択画面を表示する。なお、初回では、ｉ＝１であるため、ディスプレイ２０の表示面には、図１２に示したような第１選択画面３５０が表示される。
【０１２０】
続くステップＳ２１ａでは、ステップＳ１７で取得したサービス時用コンテンツを再生する。したがって、ユーザの操作状況に応じたサービス時用コンテンツ（具体的には、直前のサービス画面での選択項目から推定される、ユーザが必要としているであろう情報を含んだ、サービス時用コンテンツ）が再生される。そして、ステップＳ２３ａで、選択入力を検出したかどうかを判断する。ここでは、ＣＰＵ１２は、表示されている第ｉ選択画面においてボタンがタッチされたかどうかを判断する。具体的には、ＣＰＵ１２は、第１選択画面３５０が表示されている場合には、ボタン３６０−３６４がタッチされたかどうかを判断する。また、ＣＰＵ１２は、第２選択４００が表示されている場合には、ボタン４１０−４１８がタッチされたかどうかを判断する。そして、ＣＰＵ１２は、第３選択画面４５０が表示されている場合には、ボタン４６０、４６２がタッチされたかどうかを判断する。
【０１２１】
ステップＳ２３ａで”ＮＯ”であれば、ステップＳ２１ａに戻る。一方、ステップＳ２３ａで“ＹＥＳ”であれば、ステップＳ２５ａで、第ｉ選択項目つまり第ｉ選択画面で選択された内容を記憶する。したがって、この第２実施例では、ステップＳ２５ａが実行される度に選択された項目（内容）が追記され、選択されたプリントサービス、メディアの種類およびプリントのサイズのそれぞれを示す選択項目データ７８が記憶される。
【０１２２】
次のステップＳ２６ａでは、第ｉ選択項目に応じたサービス時用コンテンツを第ｉ選択テーブルから取得する。なお、上述した具体例では、初回の場合には、第１選択項目がＬ判写真であるため、Ｌ判写真に対応するサービス時用コンテンツとしてフォトスタジオ情報が第１選択テーブル７６ｂから取得される。
【０１２３】
続いて、ステップＳ２６ｂでは、変数ｉが最大値ｉmax（選択画面の総数）に達したか（ｉ≧ｉmax）かどうかを判断する。上記の具体例では、選択画面の総数は３である。なお、Ｌ判写真以外のプリントサービスが選択された場合には、選択画面の総数は２であったり、４以上であったりする場合もある。
【０１２４】
ステップＳ２６ｂで“ＮＯ”であれば、つまり変数ｉが最大値ｉmaxに達していなければ、ステップＳ２６ｃで変数ｉを１加算して（ｉ＝ｉ＋１）、ステップＳ１９ａに戻る。したがって、次の選択画面が表示される。たとえば、上記の具体例では、ｉ＝２では、図１３に示したような第２選択画面４００が表示され、同様に、ｉ＝３では、図１４に示したような第３選択画面４５０が表示される。
【０１２５】
一方、ステップＳ２６ｂで“ＹＥＳ”であれば、つまり変数ｉが最大値ｉmaxに達していれば、図２１に示すステップＳ２７で、図１５に示したようなサービス実行指示画面５００をディスプレイ２０の表示面に表示する。続いて、ステップＳ２９で、サービス実行指示画面５００の領域５０４および５０６に、ステップＳ２６ａで最後に（ｉ＝ｉmaxのときに）取得されたサービス時用コンテンツを再生する。上記の具体例では、第３選択画面４５０でプリントのサイズが２Ｌ判に選択されるため、引き伸ばしサービス情報が再生される。
【０１２６】
次のステップＳ３１では、実行入力を検出したかどうかを判断する。ここでは、ＣＰＵ１２は、タッチパネル１６から出力されるタッチ座標データを検出し、ボタン５１０がタッチされたかどうかを判断する。ステップＳ３１で“ＮＯ”であれば、ステップＳ２９に戻る。一方、ステップＳ３１で“ＹＥＳ”であれば、ステップＳ３３で、メディアからのデータの読み込みを行った後、ステップＳ３４ａで、読み込んだデータのデータ量（ここでは写真の枚数）を検出する。そして、ステップＳ３４ｂで、ステップＳ３４ａにおける検出結果に応じたサービス時用コンテンツをデータ量テーブル７６ｅから取得する。上記の具体例では、検出結果が３０枚であり、データ量テーブル７６ｅからは、サービス時用コンテンツとしてフォトブック情報が取得される。
【０１２７】
そして、ステップＳ３５では、図１６に示したようなサービス実行中画面５５０を表示する。次のステップＳ３７では、プリンタ２２を制御して、選択項目データ７８に基づくプリントサービスを実行し、ステップＳ３９で、サービス実行中画面５５０の領域５５４および５５６に、ステップＳ３４ｂで取得したサービス時用コンテンツを再生する。
【０１２８】
そして、ステップＳ４１で、完了かどうかを判断する。ステップＳ４１で“ＮＯ”であれば、ステップＳ３７に戻るが、ステップＳ４１で“ＹＥＳ”であれば、ステップＳ１に戻る。
【０１２９】
この第２実施例によれば、プリントサービス提供装置の設置場所のみならず、サービスの提供中に選択される項目に応じたサービス時用コンテンツおよびプリントの実行中にデータ量に応じたサービス時用コンテンツを提供するので、第１実施例の場合よりもさらに多くの情報をユーザに提供することができる。
【０１３０】
また、第２実施例では、サービスの提供中において選択される項目に応じたサービス時用コンテンツを提示するので、ユーザが必要としていると思われる情報やユーザに提供したいと考える情報を提供することができる。つまり、適切なコンテンツを提供することができる。
［第３実施例］
第３実施例のプリントサービス提供装置１０は、サーバ２０８から新たなコンテンツを取得して、既に記憶しているコンテンツ（待機時用コンテンツおよびサービス時用コンテンツ）を新たなコンテンツに更新するようにした以外は、上述した第１実施例および第２実施例と同じであるため、異なる内容について説明し、重複した説明については省略することにする。
【０１３１】
なお、この第３実施例では、図１に示したサーバ２０８をコンテンツサーバとしても機能させるようにしてあるが、サーバ２０８とは別にコンテンツサーバを設けるようにしてもよい。
【０１３２】
図２２は、この第３実施例におけるＣＰＵ１２のコンテンツ管理処理を示すフロー図であり、図２３は、サーバ２０８のコンテンツ配信処理を示すフロー図である。コンテンツ管理処理は、たとえば、プリントサービス提供装置１０の起動時に、プリントサービス制御処理に先行して実行される。ただし、プリントサービス制御処理と並行して実行されてもよい。
【０１３３】
なお、図７および図１７に示したメモリ１４のプログラム記憶領域５０には、図２２のフローを処理するためのコンテンツ管理プログラムがさらに記憶される。
【０１３４】
図２２に示すように、ＣＰＵ１２は、コンテンツ管理処理を開始すると、ステップＳ５１で、現在の日付が予め登録された日付か否かを判断し、“ＮＯ”であれば、このコンテンツ管理処理を終了する。ステップＳ５１で”ＹＥＳ”であれば、つまり現在の日付が予め登録された日付であれば、ステップＳ５３で、ネットワーク通信回路２８を用いて、サーバ２０８にアクセスする。そして、ステップＳ５５で、更新すべきコンテンツがあるかどうかを判断する。ＣＰＵ１２は、サーバ２０８にアクセスすると、更新すべきコンテンツの送信を要求し、サーバ２０８からコンテンツが送信されたかどうかを判断するのである。
【０１３５】
ステップＳ５５で“ＮＯ”であれば、つまり更新すべきコンテンツが無ければ、コンテンツ管理処理を終了する。一方、ステップＳ５５で“ＹＥＳ”であれば、つまり更新すべきコンテンツが有れば、ステップＳ５７で、サーバ２０８から送信された新たなコンテンツを取得し、そして、ステップＳ５９で、データ記憶領域７０に記憶しているコンテンツを新たなコンテンツに更新する。たとえば、新たなコンテンツは、待機時用コンテンツおおびサービス時用コンテンツの少なくとも一方を含む。したがって、ステップＳ５９では、ＣＰＵは、待機時用コンテンツデータ７２およびサービス時用コンテンツデータ７６の少なくとも一方を更新する。
【０１３６】
また、図２３に示すように、サーバ２０８は、コンテンツ配信処理を開始すると、ステップＳ１０１で、端末つまりプリントサービス提供装置１０からのアクセスがあるかどうかどうかを判断し、“ＮＯ”であれば、同じステップＳ１０１に戻る。一方、ステップＳ１０１で“ＹＥＳ”であれば、つまりプリントサービス提供装置１０からのアクセスがあれば、ステップＳ１０３で、新たなコンテンツの有無を確認する。上述したように、プリントサービス提供装置１０は、サーバ２０８にアクセスしたときに、更新すべきコンテンツの送信を要求する。
【０１３７】
次のステップＳ１０５では、新たな（更新すべき）コンテンツが有るかどうかを判断する。ステップＳ１０５で“ＮＯ”であれば、つまり新たなコンテンツが無ければ、ステップＳ１に戻る。一方、ステップＳ１０５で“ＹＥＳ”であれば、つまり新たなコンテンツが有れば、ステップＳ１０７で、新たなコンテンツを、アクセスしてきたプリントサービス提供装置１０に送信した後、ステップＳ１に戻る。
【０１３８】
この第３実施例によれば、プリントサービス提供装置１０は、サーバ２０８と共働して、ユーザに最新の情報を提供することができる。
【０１３９】
なお、上述の第１−第３実施例では、本願発明をプリントサービス提供装置１０で実現した場合について説明したが、これに限定される必要は無く、他の様々なサービスを提供するサービス提供装置に適用することも可能である。たとえば、コンビニエンスストアや百貨店等に設置されて、旅行やコンサートのチケットなどを予約する予約サービス提供装置、あるいは、観光地や駅構内等に設置されて、交通情報や宿泊情報等を提供する情報提供サービス装置、さらには、市役所や駅ビル等に設置されて、住民票や印鑑証明などの証明書を発行する証明書発行サービス装置などが挙げられる。
【０１４０】
また、上述の第１−第３実施例で挙げた数値および各画面は一例であり、実際の製品に応じて適宜変更することが可能である。
【符号の説明】
【０１４１】
１０  …プリントサービス提供装置
１２  …ＣＰＵ
１４  …メモリ
１６  …タッチパネル
１８  …描画コントローラ
２０  …ディスプレイ
２２  …プリンタ
２４  …メディアリーダ
２６  …無線通信回路
２８  …ネットワーク通信回路
２００  …メディア
２０２  …スマートフォン
２０４  …インターネット
２０８  …サーバ
【図１】
2018139140.tif 000003
【図２】
2018139140.tif 000004
【図３】
2018139140.tif 000005
【図４】
2018139140.tif 000006
【図５】
2018139140.tif 000007
【図６】
2018139140.tif 000008
【図７】
2018139140.tif 000009
【図８】
2018139140.tif 000010
【図９】
2018139140.tif 000011
【図１０】
2018139140.tif 000012
【図１１】
2018139140.tif 000013
【図１２】
2018139140.tif 000014
【図１３】
2018139140.tif 000015
【図１４】
2018139140.tif 000016
【図１５】
2018139140.tif 000017
【図１６】
2018139140.tif 000018
【図１７】
2018139140.tif 000019
【図１８】
2018139140.tif 000020
【図１９】
2018139140.tif 000021
【図２０】
2018139140.tif 000022
【図２１】
2018139140.tif 000023
【図２２】
2018139140.tif 000024
【図２３】
2018139140.tif 000025